(57)【要約】【課題】本構成を有しない場合と比較して、電源装置内の異常状態をより正確に判定（検出）する。【解決手段】入力部１６に印加されている交流電圧の零交差点を含む予め定められた領域を検出するゼロクロス検出部１６ｄと、入力部１６と配線を介して接続され、かつ入力部１６から配線を介して入力された交流電圧を全波整流して脈流電圧を出力するダイオードブリッジ１８ｂ、及び出力された脈流電圧を直流電圧に変換して負荷に供給するＤＣ／ＤＣコンバータ１８ｃを備えた直流電源生成部１８と、ゼロクロス検出部１６ｄで領域が検出された際にダイオードブリッジ１８ｂの前の部位の交流電圧を検出する電圧検出部２０と、電圧検出部２０で検出された電圧の電圧値が、配線に接触不良が発生した場合に生ずる電圧値を含む予め定められた範囲内の電圧値である場合には、配線に接触不良の異常が発生していると判定するコントローラ２２とを備える。【選択図】図１
2010213449.tif 000002
【特許請求の範囲】
【請求項１】
交流電源から交流電圧が印加される入力部と、
前記入力部に印加されている交流電圧の零交差点を含む予め定められた領域を検出する零交差点検出手段と、
前記入力部と配線を介して電気的に接続され、かつ前記入力部から前記配線を介して入力された交流電圧を全波整流して脈流電圧を出力する整流部、及び前記整流部から出力された脈流電圧を直流電圧に変換して負荷に供給する直流電圧供給部を備えた直流電源生成部と、
前記零交差点検出手段で前記領域が検出された際に前記整流部の前の部位の交流電圧を検出する電圧検出手段と、
前記電圧検出手段で検出された電圧の電圧値が、前記配線に接触不良が発生した場合に生ずる電圧値を含む予め定められた範囲内の電圧値である場合には、前記配線に接触不良の異常が発生していると判定する異常判定手段と、
を備えた電源回路。
【請求項２】
交流電源から交流電圧が印加される入力部と、
前記入力部に印加されている交流電圧の零交差点を含む予め定められた領域を検出する零交差点検出手段と、
前記入力部と配線を介して電気的に接続され、かつ前記入力部から前記配線を介して入力された交流電圧を全波整流して脈流電圧を出力する整流部、及び前記整流部から出力された脈流電圧を直流電圧に変換して負荷に供給する直流電圧供給部を備えた直流電源生成部と、
前記零交差点検出手段で前記領域が検出された際に前記整流部の前の部位の交流電圧を検出する電圧検出手段と、
前記電圧検出手段で検出された電圧の電圧値が、前記配線が断線した場合に生ずる電圧値を含む予め定められた範囲内の電圧値である場合には、前記配線に断線の異常が発生していると判定する異常判定手段と、
を備えた電源回路。
【請求項３】
交流電源から交流電圧が印加される入力部と、
前記入力部に印加されている交流電圧の零交差点を含む予め定められた領域を検出する零交差点検出手段と、
前記入力部と配線を介して電気的に接続され、かつ前記入力部から前記配線を介して入力された交流電圧を全波整流して脈流電圧を出力する整流部、及び前記整流部から出力された脈流電圧を直流電圧に変換して負荷に供給する直流電圧供給部を備えた直流電源生成部と、
前記零交差点検出手段で前記領域が検出された際に前記整流部の後ろの部位の交流電圧を検出する電圧検出手段と、
前記電圧検出手段で検出された電圧の電圧値が、前記配線に接触不良が発生した場合に生ずる電圧値を含む予め定められた範囲内の電圧値である場合には、前記配線に接触不良の異常が発生していると判定する異常判定手段と、
を備えた電源回路。
【請求項４】
交流電源から交流電圧が印加される入力部と、
前記入力部に印加されている交流電圧の零交差点を含む予め定められた領域を検出する零交差点検出手段と、
前記入力部と配線を介して電気的に接続され、かつ前記入力部から前記配線を介して入力された交流電圧を全波整流して脈流電圧を出力する整流部、及び前記整流部から出力された脈流電圧を直流電圧に変換して負荷に供給する直流電圧供給部を備えた直流電源生成部と、
前記零交差点検出手段で前記領域が検出された際に前記整流部の後ろの部位の交流電圧を検出する電圧検出手段と、
前記電圧検出手段で検出された電圧の電圧値が、前記配線が断線した場合に生ずる電圧値を含む予め定められた範囲内の電圧値である場合には、前記配線に断線の異常が発生していると判定する異常判定手段と、
を備えた電源回路。
【請求項５】
前記異常判定手段で前記異常が発生していると判定された場合の前記電圧値の時系列情報を記憶するように制御する記憶制御手段を更に備えた請求項１〜４のいずれか１項記載の電源回路。
【請求項６】
前記異常判定手段で判定された異常の内容を報知するように制御する報知制御手段を更に備えた請求項１〜５のいずれか１項記載の電源回路。
【請求項７】
請求項１〜請求項６のいずれか１項記載の電源回路を含む画像形成装置。
【発明の詳細な説明】
【技術分野】
【０００１】
本発明は、電源装置、及び画像形成装置に関する。
【背景技術】
【０００２】
従来、定着器の温度を検出するサーミスタ、機内の温度を検出するサーミスタ、機外の温度を検出するサーミスタ、ＡＣ入力電源の入力電圧検出手段、装置内のＤＣ電圧検出手段等により事故解析に必要な情報を検知し、この情報を記憶制御手段を介して記憶装置に格納する画像形成装置が知られている（例えば、特許文献１参照）。
【先行技術文献】
【特許文献】
【０００３】
【特許文献１】特開平１０−２５４３０９号公報
【発明の概要】
【発明が解決しようとする課題】
【０００４】
本発明は、本構成を有しない場合と比較して、電源装置内の異常状態をより正確に判定（検出）することができる電源装置、及び画像形成装置を提供することを目的とする。
【課題を解決するための手段】
【０００５】
上記目的を達成するために、請求項１記載の発明の電源装置は、交流電源から交流電圧が印加される入力部と、前記入力部に印加されている交流電圧の零交差点を含む予め定められた領域を検出する零交差点検出手段と、前記入力部と配線を介して電気的に接続され、かつ前記入力部から前記配線を介して入力された交流電圧を全波整流して脈流電圧を出力する整流部、及び前記整流部から出力された脈流電圧を直流電圧に変換して負荷に供給する直流電圧供給部を備えた直流電源生成部と、前記零交差点検出手段で前記領域が検出された際に前記整流部の前の部位の交流電圧を検出する電圧検出手段と、前記電圧検出手段で検出された電圧の電圧値が、前記配線に接触不良が発生した場合に生ずる電圧値を含む予め定められた範囲内の電圧値である場合には、前記配線に接触不良の異常が発生していると判定する異常判定手段とを含んで構成されている。
【０００６】
また、上記目的を達成するために、請求項２記載の発明の電源装置は、交流電源から交流電圧が印加される入力部と、前記入力部に印加されている交流電圧の零交差点を含む予め定められた領域を検出する零交差点検出手段と、前記入力部と配線を介して電気的に接続され、かつ前記入力部から前記配線を介して入力された交流電圧を全波整流して脈流電圧を出力する整流部、及び前記整流部から出力された脈流電圧を直流電圧に変換して負荷に供給する直流電圧供給部を備えた直流電源生成部と、前記零交差点検出手段で前記領域が検出された際に前記整流部の前の部位の交流電圧を検出する電圧検出手段と、前記電圧検出手段で検出された電圧の電圧値が、前記配線が断線した場合に生ずる電圧値を含む予め定められた範囲内の電圧値である場合には、前記配線に断線の異常が発生していると判定する異常判定手段とを含んで構成されている。
【０００７】
上記目的を達成するために、請求項３記載の発明の電源装置は、交流電源から交流電圧が印加される入力部と、前記入力部に印加されている交流電圧の零交差点を含む予め定められた領域を検出する零交差点検出手段と、前記入力部と配線を介して電気的に接続され、かつ前記入力部から前記配線を介して入力された交流電圧を全波整流して脈流電圧を出力する整流部、及び前記整流部から出力された脈流電圧を直流電圧に変換して負荷に供給する直流電圧供給部を備えた直流電源生成部と、前記零交差点検出手段で前記領域が検出された際に前記整流部の後ろの部位の交流電圧を検出する電圧検出手段と、前記電圧検出手段で検出された電圧の電圧値が、前記配線に接触不良が発生した場合に生ずる電圧値を含む予め定められた範囲内の電圧値である場合には、前記配線に接触不良の異常が発生していると判定する異常判定手段とを含んで構成されている。
【０００８】
また、上記目的を達成するために、請求項４記載の発明の電源装置は、交流電源から交流電圧が印加される入力部と、前記入力部に印加されている交流電圧の零交差点を含む予め定められた領域を検出する零交差点検出手段と、前記入力部と配線を介して電気的に接続され、かつ前記入力部から前記配線を介して入力された交流電圧を全波整流して脈流電圧を出力する整流部、及び前記整流部から出力された脈流電圧を直流電圧に変換して負荷に供給する直流電圧供給部を備えた直流電源生成部と、前記零交差点検出手段で前記領域が検出された際に前記整流部の後ろの部位の交流電圧を検出する電圧検出手段と、前記電圧検出手段で検出された電圧の電圧値が、前記配線が断線した場合に生ずる電圧値を含む予め定められた範囲内の電圧値である場合には、前記配線に断線の異常が発生していると判定する異常判定手段とを含んで構成されている。
【０００９】
請求項５記載の発明の電源装置は、前記異常判定手段で前記異常が発生していると判定された場合の前記電圧値の時系列情報を記憶するように制御する記憶制御手段を更に備えるようにしたものである。
【００１０】
請求項６記載の発明の電源装置は、前記異常判定手段で判定された異常の内容を報知するように制御する報知制御手段を更に備えるようにしたものである。
【００１１】
請求項７記載の発明の画像形成装置は、請求項１〜請求項６のいずれか１項記載の電源回路を含むように構成したものである。
【発明の効果】
【００１２】
請求項１、請求項２、請求項３、請求項４、及び請求項７に記載の各発明によれば、本構成を有しない場合と比較して、電源装置内の異常状態をより正確に判定（検出）することができる、という効果を有する。
【００１３】
請求項５に記載の発明によれば、時系列情報からどのように電圧値が変化していったかを把握することができ、ひいては、異常状態を解析することができる、という効果を有する。
【００１４】
請求項６に記載の発明によれば、異常状態であることをユーザ等が把握することができる、という効果を有する。
【図面の簡単な説明】
【００１５】
【図１】本実施の形態における電源装置の概略構成図である。
【図２】本実施の形態のゼロクロス信号を示す図である。
【図３】接触不良の異常が発生した場合を示す図である。
【図４】接触不良の異常が発生した場合の電圧を示す図である。
【図５】断線の異常が発生した場合を示す図である。
【図６】断線の異常が発生した場合の電圧を示す図である。
【図７】本実施の形態における電源装置のコントローラの概略構成図である。
【図８】本実施の形態における電源装置のコントローラが実行する異常判定処理のフローチャートである。
【図９】異常判定処理を説明するための図である。
【図１０】異常判定処理を説明するための図である。
【図１１】変形例を示す図である。
【発明を実施するための形態】
【００１６】
以下、本発明を画像形成装置に備えられた電源装置に適用した場合の実施形態について説明する。
【００１７】
図１は、本実施の形態における画像形成装置の電源装置１０の概略構成図である。図１に示すように、電源装置１０は、商用電源（例えばＡＣ１００Ｖ）の電力を供給するためのコンセント１２に電源コード１４のプラグ１４ａを差し込むと共に、電源コード１４のプラグ１４ｂをインレット１６ａに接続することで、電源装置１０に商用電源から電力が供給される。すなわち、詳細を以下で説明する入力部１０に交流電源から交流電圧が印加されることで、交流電源から交流電圧が電源装置１０に入力される。
【００１８】
電源装置１０は、入力部１６、直流電源生成回路（ＬＶＰＳ）１８、及びコントローラ２２を備えている。
【００１９】
入力部１６は、インレット１６ａ、ＧＦＩ１６ｂ、ノイズフィルタ（Ｎ／Ｆ）１６ｃ、及びゼロクロス検出部１６ｄを備えている。なお、以下「ゼロクロス」を「零交差点」と称する場合がある。
【００２０】
インレット１６ａには、電源コード１４を介して交流電力が供給される。すなわち、インレット１６ａに交流電源から交流電圧が印加される（インレット１６ａに交流電圧が入力される）。ＧＦＩ１６ｂは、いわゆるブレーカとしての機能を有しており、ノイズフィルタ１６ｃはノイズを除去する機能を有する。
【００２１】
また、ゼロクロス検出部１６ｄは、入力部１６の電源供給ラインと電気的に接続されており、交流電源から入力部１６ｄに印加されている交流電圧が電圧０（零交差点）を通過するタイミングを検出し、図２に示すように、この零交差点を含む予め定められた領域をオン（例えば、ＨＩＧＨ）信号のゼロクロス信号として、詳細を以下で説明する電圧検出部２０及びコントローラ２２に出力する。すなわち、ゼロクロス検出部１６ｄから出力される信号の状態がオンの状態を示している場合には、交流電源から入力部１６ｄに印加されている交流電圧の零交差点を含む予め定められた領域が検出されたタイミングであると考えることができる。図１に示すように、商用電源ライン（ホットライン／ニュートラルライン）７０の部位７２ａ、部位７２ｂで分岐した配線がゼロクロス検出部１６ｄに接続されている。
【００２２】
このようにしてインレット１６ａに入力された交流電力は、ＧＦＩ１６ｂ、ノイズフィルタ１６ｃを経由して、配線（商用電源ライン（ホットライン／ニュートラルライン））９０を介して直流電源生成回路１８に出力される。すなわち、本実施の形態の入力部１６は、交流電源から交流電圧を入力するためのものであり、ゼロクロス検出部１６ｄは、入力部１６に印加されている交流電圧の零交差点を含む予め定められた領域を検出する。なお、ゼロクロス検出部１６ｄは、本発明の零交差点検出手段に対応する。
【００２３】
直流電源生成回路１８は、入力部１６と配線９０を介して電気的に接続されている。直流電源生成回路１８は、電圧検出部２０、及び整流平滑回路１８ａを含んで構成されている。
【００２４】
電圧検出部２０は、整流平滑回路１８ａのダイオードブリッジ１８ｂより電力供給方向に対して前側に設けられており、これにより、電圧検出部２０によって、ダイオードブリッジ１８ｂより前の部位の交流電圧が検出される。電圧検出部２０は、入力部１６と配線９０を介して電気的に接続されており、また、ゼロクロス検出部１６ｄと接続されている。
【００２５】
電圧検出部２０は、スイッチ２０ａ及び分圧抵抗２０ｂを含んで構成されている。スイッチ２０ａは、ゼロクロス検出部１６ｄからのオン状態のゼロクロス信号が入力された場合に、オンされて、スイッチ２０ａに直列に接続された分圧抵抗２０ｂを介して配線９０のホットライン９０ａとニュートラルライン９０ｂとを接続する。なお、スイッチ２０ａには、例えば、ＦＥＴやＴＲＩＡＣ等を用いることができる。ここで、分圧抵抗２０ｂの抵抗値の値は、上記の各部を接続する配線（例えば、配線９０）に接触不良や断線等の異常が発生していない通常の状態である場合に、交流電源から交流電圧が入力部１６に印加されて、ゼロクロス検出部１６ｄからオン状態のゼロクロス信号がスイッチ２０ａに入力されてスイッチ２０ａがオンされたときに、スイッチ２０ａと分圧抵抗２０ｂとの間の部位２０ｃの電圧の電圧値（本実施の形態では、ゼロクロス信号がオンの間のピーク電圧）が予め定められた値（例えば、５Ｖ）となるように定められている。分圧抵抗２０の抵抗値の値として、例えば、１０Ωが用いられる。
【００２６】
また、配線９０には、整流平滑回路１８ａが接続されている。また、上記部位２０ｃには、コントローラ２２が接続されている。なお、分圧抵抗２０に、可変抵抗を用いて、適切な抵抗値を設定可能なようにしてもよい。
【００２７】
ここで、例えば、図３に示すように、配線９０に接触不良が発生して、その部分の抵抗値が高くなった場合（図３の例では略１Ω）に、交流電源から交流電圧が入力部１６に印加されて、ゼロクロス検出部１６ｄからオン状態のゼロクロス信号がスイッチ２０ａに入力されてスイッチ２０ａがオンされたときには、図４に示すように、部位２０ｃの電圧の電圧値が５Ｖより小さくなり、例えば、４．５Ｖとなる。
【００２８】
また、例えば、図５に示すように、配線９０が断線した場合に、交流電源から交流電圧が入力部１６に印加されて、ゼロクロス検出部１６ｄからオン状態のゼロクロス信号がスイッチ２０ａに入力されてスイッチ２０ａがオンされたときには、図６に示すように、部位２０ｃの電圧の電圧値が５Ｖより著しく小さくなり、例えば、０Ｖとなる。
【００２９】
整流平滑回路１８ａは、ダイオードブリッジ１８ｂ、及びＤＣ／ＤＣコンバータ１８ｃを備えている。
【００３０】
ダイオードブリッジ１８ｂは、入力部１６から入力された交流電力を全波整流してＤＣ／ＤＣコンバータ１８ｃに出力する。ＤＣ／ＤＣコンバータ１８ｃは全波整流された電力を平滑化して直流電力に変換して負荷９２に供給する。これにより、負荷９２に直流電力が供給される。ここで、負荷は、例えば、画像形成を行う際に用いられるモータやソレノイドなどである。すなわち、ダイオードブリッジ１８ｂは、入力部１６から入力された交流電圧を全波整流して脈流電圧を配線７０を介してＤＣ／ＤＣコンバータ１８ｃに出力する。また、ＤＣ／ＤＣコンバータ１８ｃは、ダイオードブリッジ１８ｂから出力された脈流電圧を直流電圧に変換して負荷９２に供給する。なお、ダイオードブリッジ１８ｂは本発明の整流部に対応し、ＤＣ／ＤＣコンバータ１８ｃは本発明の直流電圧供給部に対応し、直流電源生成回路１８は本発明の直流電源生成部に対応する。
【００３１】
コントローラ２２は、図７に示すように、ＲＯＭ（Read Only Memory）２２ａ、ＲＡＭ（Random Access Memory）２２ｂ、ＣＰＵ（Central Processing Unit）２２ｃ、Ａ／Ｄ変換部２２ｄ、及びＩ／Ｏ（入出力）ポート２２ｅを含んで構成されており、画像形成装置全体の制御を司る。これら、ＲＯＭ２２ａ、ＲＡＭ２２ｂ、ＣＰＵ２２ｃ、Ａ／Ｄ変換部２２ｄ、及びＩ／Ｏポート２２ｅは、互いにバス２２ｆを介して接続されている。
【００３２】
記憶媒体としてのＲＯＭ２２ａには、ＯＳ等の基本プログラムが記憶されている。また、ＲＯＭ２２ａには、詳細を以下で説明する異常判定処理の処理ルーチンを実行するためのプログラムが記憶されている。
【００３３】
ＣＰＵ２２ｃは、各プログラムをＲＯＭ２２ａから読み出して処理を実行する。ＲＡＭ２２ｂには、各種データが一時的に記憶される。
【００３４】
Ａ／Ｄ変換部２２ｄには、スイッチ２０の部位２０ｃが配線を介して接続されている。Ａ／Ｄ変換部２２ｄは、部位２０ｃから入力されたアナログ信号をデジタル信号に変換してＣＰＵ２２ｃに出力する。なお、本実施の形態では、Ａ／Ｄ変換部２２ｄからＣＰＵ２２ｃに出力されるデジタル信号は、上記部位２０ｃの電圧の電圧値を示す。
【００３５】
Ｉ／Ｏポート２２ｅには、ゼロクロス検出部１６ｄが配線を介して接続されている。
【００３６】
次に、コントローラ２２のＣＰＵ２２ｃが実行する異常判定処理の処理ルーチンについて図８を用いて説明する。なお、本実施の形態では、画像形成装置に電源を供給するためのスイッチ（図示せず）がオンされると、予め定められた時間間隔で（例えば、１秒毎に）ＣＰＵ２２ｃによって、図８に示す異常判定処理が実行される。
【００３７】
まず、ステップ１００では、ゼロクロス検出部１６ｄからの信号、及びＡ／Ｄ変換部２２ｄからのデジタル信号の状態の監視を開始し、ゼロクロス検出部１６ｄからオン状態のゼロクロス信号が入力されている間のＡ／Ｄ変換部２２ｄから入力されたデジタル信号が示す最大の電圧値（ピーク電圧）を検出する。
【００３８】
次のステップ１０２では、上記ステップ１００で検出された電圧値が、第１の閾値（例えば、０．１Ｖ）以下であるか否かを判定する。ここで、第１の閾値は、配線７２ａ〜９０ａ間及び配線７２ｂ〜９０ｂ間の何れかが断線した場合に、交流電源から交流電圧が入力部１６に印加されて、ゼロクロス検出部１６ｄからオン状態のゼロクロス信号がスイッチ２０ａに入力されてスイッチ２０ａがオンされたときの電圧値の最大値であり、予め実験によって定められた値である。このように、ステップ１０２で、検出された電圧値が第１の閾値以下であるか否かを判定することにより、検出された電圧値が第１の閾値以下であり、かつ、０Ｖ以上であるか否かを判断することができる。なお、第１の閾値以下かつ０Ｖ以上の電圧値の範囲は、７２ａ〜９０ａ間の配線が断線した場合に生ずる電圧値を含む予め定められた範囲内の電圧値であると共に、７２ｂ〜９０ｂ間の配線が断線した場合に生ずる電圧値を含む予め定められた範囲内の電圧値である。
【００３９】
ステップ１０２で、上記ステップ１００で検出された電圧値が、第１の閾値以下であると判定された場合には、検出された電圧値が第１の閾値以下であり、かつ、０Ｖ以上であると判断して次のステップ１０４へ進む。
【００４０】
ステップ１０４では、配線に断線の異常が発生していると判定する。例えば、ステップ１０４では、ＲＡＭ２２ｂの１ビットの断線異常フラグをオンにすることにより、配線に断線の異常が発生していると判定する。なお、ステップ１０４は、本発明の異常判定手段に対応する。
【００４１】
次のステップ１０６では、上記ステップ１００で検出された電圧値を時刻と対応付けて記憶するようにＲＡＭ２２を制御する。これにより、ＲＡＭ２２には、電圧値と時刻とが対応付けられて記憶される。なお、上述したように、異常判定処理は、予め定められた時間間隔で実行されるので、ステップ１０６の処理を当該時間間隔で行うことによって、異常が発生していると判定された場合の部位２０ｃの電圧値の時系列情報を記憶するように制御することとなる。なお、ステップ１０６は、本発明の記憶制御手段に対応する。
【００４２】
次のステップ１０８では、上記ステップ１０４で判定された異常の内容（この場合には断線）を報知するように制御する。例えば、ステップ１０８では、図示しない表示装置の画面に、メッセージ「断線が発生しました」が表示されるように、表示装置を制御する。なお、ステップ１０８で、上記ステップ１０４で配線に断線の異常が発生していると複数回判定された場合に、図示しない表示装置の画面に、メッセージ「断線が発生しました」が表示されるように、表示装置を制御するようにしてもよい。そして、異常判定処理を終了する。
【００４３】
一方、ステップ１０２で、上記ステップ１００で検出された電圧値が、第１の閾値以下でないと判定された場合には、次のステップ１１０へ進む。
【００４４】
ステップ１１０では、上記ステップ１００で検出された電圧値が、第２の閾値（例えば、４．８Ｖ）以下であるか否かを判定する。ここで、第２の閾値は、配線７２ａ〜９０ａ間及び配線７２ｂ〜９０ｂ間の何れかで接触不良が発生した場合に、交流電源から交流電圧が入力部１６に印加されて、ゼロクロス検出部１６ｄからオン状態のゼロクロス信号がスイッチ２０ａに入力されてスイッチ２０ａがオンされたときの電圧値の最大値であり、予め実験によって定められた値である。このように、ステップ１１０で、検出された電圧値が第２の閾値以下であるか否かを判定することにより、検出された電圧値が第２の閾値以下であり、かつ、第１の閾値より大きいか否かを判断することができる。なお、第２の閾値以下かつ第１の閾値より大きい電圧値の範囲は、７２ａ〜９０ａ間の配線に接触不良が発生した場合に生ずる電圧値を含む予め定められた範囲内の電圧値であると共に、７２ｂ〜９０ｂ間の配線に接触不良が発生した場合に生ずる電圧値を含む予め定められた範囲内の電圧値である。
【００４５】
ステップ１１０で、上記ステップ１００で検出された電圧値が、第２の閾値以下であると判定された場合には、検出された電圧値が第２の閾値以下であり、かつ、第１の閾値より大きいと判断して次のステップ１１２へ進む。
【００４６】
ステップ１１２では、配線に接触不良の異常が発生していると判定する。例えば、ステップ１１２では、ＲＡＭ２２ｂの１ビットの接触不良異常フラグをオンにすることにより、配線に接触不良の異常が発生していると判定する。なお、ステップ１１２は、本発明の異常判定手段に対応する。
【００４７】
次のステップ１１４では、上記ステップ１００で検出された電圧値を時刻と対応付けて記憶するようにＲＡＭ２２を制御する。これにより、ＲＡＭ２２には、電圧値と時刻とが対応付けられて記憶される。なお、上述したように、異常判定処理は、予め定められた時間間隔で実行されるので、ステップ１１４の処理を当該時間間隔で行うことによって、異常が発生していると判定された場合の部位２０ｃの電圧値の時系列情報を記憶するように制御することとなる。なお、ステップ１１４は、本発明の記憶制御手段に対応する。
【００４８】
次のステップ１１６では、上記ステップ１１２で判定された異常の内容（この場合には接触不良）を報知するように制御する。例えば、ステップ１１６では、図示しない表示装置の画面に、メッセージ「接触不良が発生しました」が表示されるように、表示装置を制御する。なお、ステップ１１６で、上記ステップ１１２で配線に接触不良の異常が発生していると複数回判定された場合に、図示しない表示装置の画面に、メッセージ「接触不良が発生しました」が表示されるように、表示装置を制御するようにしてもよい。そして、異常判定処理を終了する。
【００４９】
なお、ステップ１１０で、上記ステップ１００で検出された電圧値が、第２の閾値以下でないと判定された場合にも、異常判定処理を終了する。
【００５０】
異常判定処理によって、図３に示すように配線に接触不良が発生した場合には、図９に示すように、第２の閾値（図９の例では４．８Ｖ）より小さい電圧値が検出されて、配線に接触不良の異常が発生していると判定される。
【００５１】
また、異常判定処理によって、図５に示すように配線が断線した場合には、図１０に示すように、第１の閾値（図１０の例では０．１Ｖ）より小さい電圧値が検出されて、配線に断線の異常が発生していると判定される。
【００５２】
なお、本実施の形態では、図１に示すように、電圧検出部２０に分圧抵抗２０ｂを用いた例について説明したが、図１１に示すように、電圧検出部２０にトランス（絶縁トランス）２０ｄを用いると共に、ダイオードブリッジ７１より電力供給方向に対して後ろ側に、分圧抵抗２０ｅを設け、図１１に示す部位２０ｆを配線によってコントローラ２２に接続するようにしてもよい。これにより、ダイオードブリッジ７１より後ろの部位の脈流電圧の電圧値がコントローラ２２による上記と同様の異常判定処理によって検出され、断線及び接触不良の異常を判定することが可能となる。ここで、分圧抵抗２０ｅの抵抗値の値は、上記の各部を接続する配線（例えば、配線９０）に接触不良や断線等の異常が発生していない通常の状態である場合に、交流電源から交流電圧が入力部１６に印加されて、ゼロクロス検出部１６ｄからオン状態のゼロクロス信号がスイッチ２０ａに入力されてスイッチ２０ａがオンされたときに、部位２０ｆの電圧の電圧値（本実施の形態では、ゼロクロス信号がオンの間のピーク電圧）が予め定められた値（例えば、５Ｖ）となるように定められており、また、第１の閾値、及び第２の閾値は、それぞれ、断線、接触不良が判定可能な値に定められている。
【００５３】
また、上記では、１つの直流電源生成回路１８に対応させて１つの電圧検出部２０が画像形成装置に設けられた例について説明したが、本発明はこれに限られない。例えば、複数の直流電源生成回路１８が画像形成装置に設けられている場合には、この複数組の直流電源生成回路１８に対応させて、複数の電圧検出部２０を設けるようにしてもよい。
【符号の説明】
【００５４】
１０      電源装置
１６      入力部
１６ｄ    ゼロクロス検出部
１８      直流電源生成回路
１８ｂ    ダイオードブリッジ
２０      電圧検出部
２２      コントローラ
【図１】
2010213449.tif 000003
【図２】
2010213449.tif 000004
【図３】
2010213449.tif 000005
【図４】
2010213449.tif 000006
【図５】
2010213449.tif 000007
【図６】
2010213449.tif 000008
【図７】
2010213449.tif 000009
【図８】
2010213449.tif 000010
【図９】
2010213449.tif 000011
【図１０】
2010213449.tif 000012
【図１１】
2010213449.tif 000013